(57)【要約】 【課題】  デザイン設計の自由度を大きく確保しながら、十分な機械的強度を確保する。【解決手段】  スピーカ部１１を支持する一対の支持脚１４ａ，１４ｂと、一対の支持脚１４ａ，１４ｂの間に配設される有色透明の補強板１７とを備える。一方の支持脚１４ａは、内部に中空部１９を有し、この中空部１９に接続コード２１が挿通される。一対の支持脚１４ａ，１４ｂの内面１３ａは、補強板１７に対して外開きの傾斜面となるように形成されていると共に表面が鏡面であり、補強板１７の着色が写り込み、補強板１７を厚く見せることができる。【選択図】  図３
2006165260.tif 000002
【特許請求の範囲】
【請求項１】
電子機器を支持する一対の支持脚と、
上記一対の支持脚の間に配設される補強板とを備え、
少なくとも一方の支持脚は、内部が中空であり、上記電気機器に接続される接続コードが挿通され、
上記一対の支持脚は、上記補強板と隣接する面が上記補強板に対して垂直面又は外開きの傾斜面となるように形成されていると共に表面が鏡面であり、
上記補強板は、有色であることを特徴とする電子機器用スタンド装置。
【請求項２】
上記補強板は、更に光透過性を有することを特徴とする請求項１記載の電子機器用スタンド装置。
【請求項３】
機器本体と、
上記機器本体を支持するスタンドとを備え、
上記スタンドは、上記機器本体を支持する一対の支持脚と、
上記一対の支持脚の間に配設される補強板とを有し、
少なくとも一方の支持脚は、内部が中空であり、上記電気機器に接続される接続コードが挿通され、
上記一対の支持脚は、上記補強板と隣接する面が上記補強板に対して垂直面又は外開きの傾斜面となるように形成されていると共に表面が鏡面であり、
上記補強板は、有色であることを特徴とする電子機器。
【請求項４】
上記補強板は、更に光透過性を有することを特徴とする請求項３記載の電子機器。
【発明の詳細な説明】
【技術分野】
【０００１】
本発明は、スピーカ等の電子機器のスタンド装置及び電子機器に関する。
【背景技術】
【０００２】
音質の向上が図られたスピーカは、大型であり、非常に重いものとなっている。これに伴い、このスピーカを支持するスタンド装置も、大型化されたスピーカを安定して支持できるだけの大きさと機械的強度が必要である。更に、スタンド装置は、支持するスピーカの意匠との統一性を図る必要があり、その強度設計は、デザイン設計の自由度を確保することができるように行う必要がある。
【０００３】
また、スタンド装置は、機械的強度を十分に確保しながらも、その構成部材を小型化や薄型化すると、そのデザインによっては、ユーザに機械的強度不足を感じさせてしまうこともある。
【０００４】
以上のようなスタンド装置に求められる要求は、スピーカに限られず、ＬＣＤ（Liquid Crystal Display）、ＰＤＰ（Plasma Display Panel）と言った大型で薄型ディスプレイの電子機器のスタンド装置にも求められる。
【０００５】
【特許文献１】特開２００４−０４０５６７号公報
【発明の開示】
【発明が解決しようとする課題】
【０００６】
本発明は、以上のような問題点に鑑みてなされたものであり、その目的は、デザイン設計の自由度を大きく確保しながら、その一方で十分な機械的強度を確保することができるようにした電子機器用スタンド装置及び電子機器を提供することにある。
【０００７】
また、本発明の目的は、支持する機器本体に対して十分な機械的強度を有しながらもその構造を簡素化し製造コストの削減を図り、更に、ユーザに対して安定感を感得させることができる電子機器用スタンド装置及び電子機器を提供することにある。
【課題を解決するための手段】
【０００８】
本発明に係る電子機器用スタンド装置は、電子機器を支持する一対の支持脚と、上記一対の支持脚の間に配設される補強板とを備える。少なくとも一方の支持脚は、内部が中空であり、上記電気機器に接続される接続コードが挿通される。上記一対の支持脚は、上記補強板と隣接する面が上記補強板に対して垂直面又は外開きの傾斜面となるように形成されていると共に表面が鏡面加工されている。上記補強板は、有色であり、鏡面加工された支持脚に写り込む。
【０００９】
また、本発明に係る電子機器は、機器本体と、上記機器本体を支持するスタンドとを備える。上記スタンドは、上記機器本体を支持する一対の支持脚と、上記一対の支持脚の間に配設される補強板とを有する。少なくとも一方の支持脚は、内部が中空であり、上記電気機器に接続される接続コードが挿通される。上記一対の支持脚は、上記補強板と隣接する面が上記補強板に対して垂直面又は外開きの傾斜面となるように形成されていると共に表面が鏡面加工されている。上記補強板は、有色であり、鏡面加工された支持脚に写り込む。
【発明の効果】
【００１０】
本発明によれば、内部が中空の一対の支持脚と補強板とで電子機器を十分な機械的強度で支持することができる。そして、補強板を有色とし、支持脚を鏡面加工することによって、補強板が支持脚に写り込むようにする。これにより、看者に、補強板が厚く見え、電子機器がより安定してスタンドに支持されているように感得させることができる。
【発明を実施するための最良の形態】
【００１１】
以下、本発明を適用したスピーカ装置について、図面を参照して説明する。
【００１２】
図１に示すように、本発明を適用したスピーカ装置１０は、５．１チャンネル・サラウンドシステム１に用いられるスピーカ装置である。すなわち、この５．１チャンネル・サラウンドシステム１では、フロント・レフト・チャンネルの音声データを放音するスピーカ装置２と、フロント・ライト・チャンネルの音声データを放音するスピーカ装置３と、フロント・センタ・チャンネルの音声データを放音するスピーカ装置４と、リア・レフト・チャンネルの音声データを放音するスピーカ装置５と、リア・ライト・チャンネルの音声データを放音するスピーカ装置６と、サブウーハ専用チャンネルの音声データを放音するスピーカ装置７とを備える。本発明を適用したスピーカ装置１０は、このうち、フロント・レフト・チャンネル用のスピーカ装置２やフロント・ライト・チャンネル用のスピーカ装置３に用いられる。なお、本発明を適用したスピーカ装置１０は、リア・レフト・チャンネル用のスピーカ装置５やリア・ライト・チャンネル用のスピーカ装置６に用いるようにしても良い。
【００１３】
図２に示すように、本発明を適用したスピーカ装置１０は、所定周波数の音響信号を放音するスピーカ部１１と、このスピーカ部１１を支持するスタンド部１２とから構成されている。このスピーカ装置１０は、全体が金属光沢を有するようにスピーカ部１１とスタンド部１２の意匠が統一されている。また、スピーカ装置１０は、スピーカ部１１の高さが５００ｍｍとされ、スタンド部１２の高さが６００ｍｍとされ、全体が１１００ｍｍとなるように形成され、スピーカ部１１を設置面から離れた高所に位置させるようになっている。
【００１４】
スピーカ部１１は、全体が略矩形板状をなし薄型に形成され、例えば厚さが３０ｍｍ程度とされている。スピーカ部１１の内部には、一又は複数のスピーカ素子が配設されている。また、スピーカ部１１の前面には、ネット部１１ａが設けられている。このネット部１１ａは、金属薄板に多数の微小孔でなる放音孔を形成して構成されている。
【００１５】
以上のようなスピーカ部１１を支持するスタンド部１２は、図２及び図３に示すように、略矩形をなす枠体１３を備える。この枠体１３は、互いに平行な長辺がスピーカ部１１を支持する一対の支持脚部１４ａ，１４ｂとなり、互いに平行な短辺が支持脚部１４ａ，１４ｂを連結する連結部１５ａ，１５ｂとなる。そして、枠体１３は、支持脚部１４ａ，１４ｂ及び連結部１５ａ，１５ｂに囲まれた領域に矩形の開口部１６が形成されている。なお、この枠体１３は、スピーカ部１１の幅と同じ幅であり、スピーカ部１１と枠体１３が段差なく連続するように形成されている。
【００１６】
この枠体１３は、金属板を折曲して又は合成樹脂をモールド成形してなるものであり、その表面にクロムメッキ等が施され、鏡面加工がなされている。図３に示すように、枠体１３の開口部１６には、背面側に、枠体１３の補強板１７が取り付けられる。この補強板１７は、ガラス又はアクリル等の合成樹脂で形成された有色透明の透光板であり、枠体１３の開口部１６を閉塞することができるように、開口部１６と略同じ大きさで略矩形をなすように形成されている。この補強板１７は、その厚さが例えば６ｍｍである。この補強板１７は、僅かに着色されることによって、その色が鏡面加工された枠体１３に写り込むようになっている。
【００１７】
枠体１３の開口部１６の内周面、具体的に、少なくとも支持脚部１４ａ，１４ｂの内面背面側には、図３及び図４に示すように、この補強板１７を取り付ける取付溝１８が形成されている。取付溝１８には、補強板１７の長辺が係合されることによって、開口部１６内に固定されることになる。なお、補強板１７は、更に、連結部１５ａ，１５ｂの内面背面側に形成された更なる取付溝に係合させることによって、更に強固に枠体１３に取り付けるようにしても良い。以上のように枠体１３は、背面側に開口部１６を閉塞するように補強板１７が取り付けられると、開口部１６に略矩形をなす有底の凹部が構成されることになる。
【００１８】
この枠体１３の少なくとも支持脚部１４ａ，１４ｂは、内部にほぼ上端から下端に亘って中空部１９を設け断面を略矩形の枠状にし、１枚の板材で形成したときよりも機械的強度が高められている。そして、この中空部１９には、スタンド部１２の上側に取り付けられるスピーカ部１１に電気的に接続される一又は複数の接続コード２１が挿通される。接続コード２１は、スピーカ部１１との接続端が支持脚部１４ａ，１４ｂの一端に設けられた貫通孔２２より導出されてスピーカ部１１と電気的に接続され、他端が図示しないが支持台の背面より外部に導出される。
【００１９】
ところで、図１に示すように、５．１チャンネル・サラウンドシステム１では、スピーカ装置２〜７の略中央位置にユーザ８が居る。そこで、枠体１３の支持脚部１４ａ，１４ｂの内面１３ａは、図３及び図４に示すように、枠体１３の開口部１６に取り付けられた補強板１７に対して外開きの傾斜面となるように形成され、補強板１７の色が内面１３ａに写り込み、この写り込みを正面側に居るユーザから目視することができるようになっている。これにより、実際に補強板１７は、枠体１３の背面側に取り付けられているに過ぎないが、スピーカ装置１０の前方に居るユーザは、枠体１３の厚さＴと同じ厚さの補強板１７が存在するように見えることになる。また、連結部１５ａ，１５ｂの内面１３ｂは、補強板１７に対して垂直面となるように形成され、支持脚部１４ａ，１４ｂと同様に、補強板１７の色が写り込むように形成されている。
【００２０】
なお、支持脚部１４ａ，１４ｂの内面１３ａの傾斜面は、補強板１７に対して垂直面であっても良い。また、この内面１３ａの補強板１７に対する角度は、好ましくは６１°〜９０°である。
【００２１】
図５に示すように、枠体１３の上側の連結部１５ａは、スピーカ部１１を取り付ける部分となる。スピーカ部１１が取り付けられる連結部１５ａは、枠体１３側に一体的に取り付けられた取付部材３１にスピーカ部１１の下側に一体的に取り付けられた受け部材４１とによって構成される。
【００２２】
枠体１３側の取付部材３１は、枠体１３よりやや長さ及び幅を短くし、枠体１３の連結部１５ａの内面１３ｂを構成する連結板３２に、取付片３３，３３が設けられてなる。取付片３３，３３には、スピーカ部１１を固定するための貫通孔３４，３４が形成されている。なお、取付片３３，３３は、一体の一の片で構成し、この一の片に貫通孔３４，３４を形成するようにしても良い。
【００２３】
一方、スピーカ部１１の下側に固定される受け部材４１は、取付部材３１の連結板３２が嵌合される嵌合部４２にスピーカ部１１が固定される固定部４３が設けられてなる。嵌合部４２は、凹部で構成され、連結板３２が嵌合される。この嵌合部４２は、その表面が連結部１５ａの一部を構成する。また、固定部４３は、嵌合部４３に一体的に略凸状に形成され、内部が中空で取付片３３，３３が挿入されるようになっている。固定部４３には、取付片３３，３３が挿入されたとき、取付片３３，３３の貫通孔３４，３４と一致する貫通孔４４，４４が形成されている。
【００２４】
以上のような受け部材４１は、取付片３３，３３を固定部４３に挿入し、更に、嵌合部４２に連結板３２を嵌合させるようにして、取付部材３１に取り付けられる。そして、スタンド部１２には、スピーカ部１１が一致した取付片３３，３３の貫通孔３４，３４と固定部４３の貫通孔４４，４４に固定部材を挿通することにとって、一体的に固定されることになる。
【００２５】
また、スタンド部１２は、枠体１３の下側に略円形の支持台２２が取り付けられる。枠体１３は、支持台２２の略中央にねじ等で固定されることによって、スピーカ部１１を安定して支持することができる。
【００２６】
以上のようにスタンド部１２でスピーカ部１１を支持してなるスピーカ装置１０は、スピーカ部１１が大型で重い部分となる。この点、スタンド部１２を構成する枠体１３の支持脚部１４ａ，１４ｂは、図３及び図４に示したように、中空部１９を設け断面を略矩形の枠状にしたので、機械的強度を十分に確保することができると共に、中空部１９を接続コード２１の挿通孔として利用することができる。
【００２７】
更に、枠体１３の開口部１６には、図３及び図４に示すように、補強板１７が固定されることから、更に、枠体１３の機械的強度を補強することができる。この補強板１７は、枠体１３の厚さＴが３０ｍｍなのに対して６ｍｍの厚さで形成され、スタンドとしての機械的強度を十分に確保しながらも枠体１３の厚さに比べて薄く形成され、コスト削減と軽量化が図られている。この点、補強板１７を囲む枠体１３の内面１３ａ，１３ｂは、補強板１７に対して垂直又は外開きの傾斜面で形成され、更に、鏡面加工が施されていることから、枠体１３の色が写り込み、これにより、恰も枠体１３の厚さと同じ厚さの補強板１７が用いられているようにユーザ８に感得させることができる。したがって、スピーカ装置１０は、重厚なスタンド部１２によって大型のスピーカ部１１が支持されているようにユーザ８に印象づけることができる。
【００２８】
また、補強板１７の部分は、有色にすることによって、その色が枠体１３の内面１３ａ，１３ｂに写り込むようにしているが、この部分は、有色であれば、特にデザイン上の制限はない。したがって、スピーカ装置１０は、デザイン設計の自由度を高めることができる。なお、ここで、有色とは、有彩色、黒白灰色等の無彩色、金属色等を含む。
【００２９】
更にまた、補強板１７に有色で光透過性を有するガラス板やアクリル板を使用すると、枠体１３の厚さの有色透明な補強板１７が恰も存在するような特殊ば視覚的効果を得ることができる。有色透明な補強板１７を枠体１３の厚さを有するように形成することは、極めて加工に手間がかかり高価になるが、ここで用いる補強板１７は、枠体１３より薄いことから、比較的安価に作成することができる。
【００３０】
次に、本発明の他の例を図６を参照して説明する。この図６は、本発明を薄型ディスプレイ装置に適用した例である。この薄型ディスプレイ装置５０は、ＬＣＤ（Liquid Crystal Display）、ＰＤＰ（Plasma Display Panel）といったディスプレイ部５１を、スタンド部５２で支持してなる。ここで、このスタンド部５２は、上述したスピーカ装置１０のスタンド部１２と同様な構成を有し、これにより、スタンド部１２と同様な作用効果を得ることができる。
【００３１】
更に、図６の例は、ディスプレイ部５１を一のスタンド部５２で支持するようにしたが、更に、図１に示すディスプレイ装置９のように、ディスプレイ部５１を、一対のスタンド部５３，５３で支持するようにしても良い。この場合、それぞれのスタンド部５３が、スタンド部１２と同様な構成を有することになる。
【００３２】
更に、以上の例では、スピーカ部１１やディスプレイ部５１を本発明を適用したスタンド部１２，５２，５３で支持する場合を説明したが、支持される電子機器は、スピーカや薄型ディスプレイに限定されるものではなく、様々な電子機器のスタンドに適用することができる。
【図面の簡単な説明】
【００３３】
【図１】本発明を適用したスピーカ装置が用いられる５．１チャンネル・サラウンドシステムを示す図である。
【図２】本発明を適用したスピーカ装置の斜視図である。
【図３】本発明を適用しスピーカ装置のスタンド部の斜視図である。
【図４】図３のスタンド部のＩ−Ｉ断面図である。
【図５】スピーカ部とスタンド部の取付を示す斜視図である。
【図６】本発明を適用したスタンド装置を薄型ディスプレイのスタンドに適用した例を示す斜視図である。
【符号の説明】
【００３４】
１  ５．１チャンネル・サラウンドシステム、２〜７  スピーカ装置、１０  スピーカ装置、１１  スピーカ部、１２  スタンド部、１３  枠体、１３ａ，１３ｂ  内面、１４ａ，１４ｂ  支持脚部、１５ａ，１５ｂ  連結部、１６  開口部、１７  補強板、１８  取付溝、１９  中空部、２１  接続コード、２２  支持台、３１  取付部材、３２  連結板、３３  取付片、３４  貫通孔、４１  受け部材、４２  嵌合部、４３  固定部、４４  貫通孔、５０  薄型ディスプレイ装置、５１  ディスプレイ、５２，５３  スタンド部
【図１】
2006165260.tif 000003
【図２】
2006165260.tif 000004
【図３】
2006165260.tif 000005
【図４】
2006165260.tif 000006
【図５】
2006165260.tif 000007
【図６】
2006165260.tif 000008